(57)【要約】      （修正有）【課題】電子機器の観察角度を自由に調整できる保護シール付き保護カバーを提供する。【解決手段】保護シール付き保護カバーは、第１の板状体、サイド板及び第２の板状体を含む。第１の板状体は、第１の粘着層を有する第１の支持部と、第１の支持部に活動可能に連接される第２の支持部と、を備える。サイド板は、第１の板状体に活動可能に連接される。第２の板状体は、サイド板に活動可能に連接される。第２の支持部は、第１の支持部に対して第１の所定角度をなす。第２の支持部は、第２の板状体に対して第２の所定角度をなす。【選択図】図３Ｂ
0003178753.tif 000002
【実用新案登録請求の範囲】
【請求項１】
電子機器に用いられる保護シール付き保護カバーであって、
第１の粘着層を有する第１の支持部と、前記第１の支持部に活動可能に連接される第２の支持部と、を含む第１の板状体と、
前記第１の板状体に活動可能に連接されるサイド板と、
前記サイド板に活動可能に連接される第２の板状体と、
を含み、
前記第２の支持部は前記第１の支持部に対して第１の所定角度をなし、前記第２の支持部は前記第２の板状体に対して第２の所定角度をなすことを特徴とする保護シール付き保護カバー。
【請求項２】
前記第１の支持部の前記第１の粘着層は、前記電子機器に貼付されることを特徴とする請求項１に記載の保護シール付き保護カバー。
【請求項３】
前記第１の板状体、前記サイド板及び前記第２の板状体は、一体成形してなる単一の構造であることを特徴とする請求項１に記載の保護シール付き保護カバー。
【請求項４】
前記電子機器を収容するためのケースを更に含むことを特徴とする請求項１に記載の保護シール付き保護カバー。
【請求項５】
前記第１の支持部の前記第１の粘着層は、前記ケースに貼付されることを特徴とする請求項４に記載の保護シール付き保護カバー。
【請求項６】
電子機器に用いられる保護シール付き保護カバーであって、
一方の表面に第２の粘着層を含む粘着板状体と、
前記粘着板状体の他方の表面に貼付される第１の支持部と、前記第１の支持部に活動可能に連接される第２の支持部と、を含む第１の板状体と、
前記第１の板状体に活動可能に連接されるサイド板と、
前記サイド板に活動可能に連接される第２の板状体と、
を含み、
前記第２の支持部は前記第１の支持部に対して第１の所定角度をなし、前記第２の支持部は前記第２の板状体に対して第２の所定角度をなすことを特徴とする保護シール付き保護カバー。
【請求項７】
前記粘着板状体の前記第２の粘着層は、前記電子機器に貼付されることを特徴とする請求項６に記載の保護シール付き保護カバー。
【請求項８】
前記第１の支持部は、第１の粘着層を有することを特徴とする請求項６に記載の保護シール付き保護カバー。
【請求項９】
前記電子機器を収容するためのケースを更に含むことを特徴とする請求項６に記載の保護シール付き保護カバー。
【請求項１０】
前記粘着板状体の前記第２の粘着層は、前記ケースに貼付されることを特徴とする請求項９に記載の保護シール付き保護カバー。
【考案の詳細な説明】
【技術分野】
【０００１】
本考案は、保護シール付き保護カバーに関するものであり、特に電子装置に用いられる保護カバーに関するものである。
【背景技術】
【０００２】
ここ数年、ｉＰｈｏｎｅ（登録商標）などの新類型のタブレットパーソナルコンピューター（Ｔａｂｌｅｔ Ｐｅｒｓｏｎａｌ Ｃｏｍｐｕｔｅｒ）はマルチタッチの技術を導入するに従い、タッチパネルも幅広く利用されている。例えば、早期の軍事用品を初めとして、現在のタブレットパーソナルコンピューター、スマートフォン、ミニノートパソコンなどの携帯式電子機器に至るまで、タッチパネルはよく使用されている。ユーザーは、これらの携帯式電子機器を介して音楽を聞いたり、オンラインゲームをプレイしたり、タッチで画を描いたり、電子ブックを閲覧したり、映画を見たりすることができる。視覚と触覚を合わせるタッチパネルを搭載してある各種類の電子機器が消費者に愛用されているに従い、人々の仕事形態と娯楽形態も革新されている。
【考案の概要】
【考案が解決しようとする課題】
【０００３】
従来、これらの携帯式電子機器向けの保護カバーは、携帯利便性、衝撃吸収能力（ｓｈｏｃｋ ａｂｓｏｒｂｉｎｇ ｃａｐａｂｉｌｉｔｙ）、耐摩擦性を有する。従来の保護カバーは固定型カバーであるため、電子機器を使用する時、電子機器をカバーした保護カバーを開けて電子機器を机の上に置くようになっている。しかしながら、ユーザーは、電子機器の観察角度を自由に調整できるように、従来の保護カバーにより机の上に置いてある電子機器の設置角度を調整することができない。そこで、如何にして構造の設計を改良することによってユーザーに電子機器の観察角度を自由に調整させることができる保護カバーを提供するかが技術的な課題となる。
【課題を解決するための手段】
【０００４】
本考案の目的は、電子機器の観察角度を自由に調整できる保護シール付き保護カバーを提供することにある。
【０００５】
本考案の第１の態様に係る保護シール付き保護カバーは、電子機器に用いられる保護シール付き保護カバーであって、第１の板状体、サイド板及び第２の板状体を含む。第１の板状体は、第１の粘着層を有する第１の支持部と、第２の支持部と、を備える。第２の支持部は、第１の支持部に活動可能に連接される。サイド板は、第１の板状体に活動可能に連接される。第２の板状体は、サイド板に活動可能に連接される。第２の支持部は、第１の支持部に対して第１の所定角度をなす。第２の支持部は、第２の板状体に対して第２の所定角度をなす。
【０００６】
本考案の第２の態様に係る保護シール付き保護カバーは、電子機器に用いられる保護シール付きカバーであって、粘着板状体、第１の板状体、サイド板及び第２の板状体を含む。粘着板状体の一方の表面は第２の粘着層を有する。第１の板状体は、粘着板状体の他方の表面に貼付された第１の支持部と第２の支持部を含む。第２の支持部は、第１の支持部に活動可能に連接される。サイド板は、第１の板状体に活動可能に連接される。第２の板状体は、サイド板に活動可能に連接される。第２の支持部は、第１の支持部に対して第１の所定角度をなす。第２の支持部は、第２の板状体に対して第２の所定角度をなす。
【考案の効果】
【０００７】
本考案に係る保護シール付き保護カバーは、“第２の支持部は第１の支持部に対して第１の所定角度をなす”との設計及び“第２の支持部は第２の板状体に対して第２の所定角度をなす”との設計により、電子機器の観察角度を調整できるため、ユーザーに電子機器の観察角度を自由に調整させることができる。
【図面の簡単な説明】
【０００８】
【図１Ａ】本考案の第１の実施例に係る保護シール付き保護カバーの立体構造図を示すものである。
【図１Ｂ】本考案の第１の実施例に係る保護シール付き保護カバーの立体分解図を示すものである。
【図１Ｃ】本考案の第１の実施例に係る保護シール付き保護カバーが閉じた態様の側面模式図を示すものである。
【図２】本考案の第１の実施例に係る保護シール付き保護カバーの他の立体構造図を示すものである。
【図３Ａ】本考案の第１の実施例に係る保護シーツ付き保護カバーが立てる態様の模式図を示すものである。
【図３Ｂ】本考案の第１の実施例に係る保護シール付き保護カバーが立てる態様の側面模式図を示すものである。
【図４Ａ】本考案の第２の実施例に係る保護シール付き保護カバーの立体分解図を示すものである。
【図４Ｂ】本考案の第２の実施例に係る保護シール付き保護カバーの立体構造図を示すものである。
【図５】本考案の第３の実施例に係る保護シール付き保護カバーが立てる態様の側面模式図を示すものである。
【図６Ａ】本考案の第４の実施例に係る保護シール付き保護カバーの立体分解図を示すものである。
【図６Ｂ】本考案の第４の実施例に係る保護シール付き保護カバーの立体構造図を示すものである。
【考案を実施するための形態】
【０００９】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１０】
（第１の実施例）
図１Ａ、図１Ｂ、図１Ｃ、図２を参照しながら説明する。図１Ａは、本考案の第１の実施例に係る保護シール付き保護カバーの立体構造図を示すものである。図１Ｂは、本考案の第１の実施例に係る保護シール付き保護カバーの立体分解図を示すものである。図１Ｃは、本考案の第１の実施例に係る保護シール付き保護カバーが閉じた態様の側面模式図を示すものである。図２は、本考案の第１の実施例に係る保護シール付き保護カバーの他の立体構造図を示すものである。
【００１１】
図１Ａ、図１Ｂ、図１Ｃ、図２に示すように、本考案の第１の実施例に係る保護シール付き保護カバーＺは電子機器Ｗに用いられるためのものであり、第１の板状体１、サイド板２及び第２の板状体３を含む。
【００１２】
第１の板状体１は、第１の粘着層１１ａを有する第１の支持部１１と、第２の支持部１２と、を含む。第２の支持部１２は、第１の支持部１１に活動可能に連接される。例を挙げて説明すると、第１の支持部１１の第１の粘着層１１ａは、電子装置Ｗに貼付される。本実施例において、第１の粘着層１１ａは、電子機器Ｗの底面に貼付される。第１の粘着層１１ａと電子機器Ｗの底面は緊密に結合する。第１の粘着層１１ａの粘性は、例えば、繰り返して貼ったり剥がしたりしても後が残らないような特性、若しくは繰り返して貼ったり剥がしたりすることができないような特性を付与するように実際のニーズに応じて調整できる。第１の支持部１１の幅と第２の支持部１２の幅は第１の板状体１の幅の半分であってもよい。また、第１の支持部１１の幅と第２の支持部１２の幅は実際のニーズに応じて調整できる。
【００１３】
サイド板２は、第１の板状体１に活動可能に連接される。第２の板状体３は、サイド板２に活動可能に連接される。例を挙げて説明すると、第１の板状体１、第２の板状体３及びサイド板２は一体成形してなる単一の構造であってもよい。第１の板状体１のサイズ（長さと幅）と第２の板状体３のサイズは電子機器Ｗのサイズ（長さと幅）と同じであってもよい。サイド板２の幅は電子機器Ｗの厚さと同じであってもよい。保護シール付き保護カバーＺが閉じた場合、電子機器Ｗを第１の板状体１、サイド板２及び第２の板状体３の間に収容することができるため、電子機器Ｗを保護することができる。第２の板状体３は、電子機器Ｗの表示パネルを保護することができる。電子機器Ｗは、例えば携帯電話又はパーソナル・デジタル・アシスタント（ＰＤＡ）などの携帯式電子機器であってもよい。第１の板状体１、第２の板状体３及びサイド板２の材料は、例えば皮革、人造皮革、繊維織物、人造繊維織物、パイル織物又は他の特殊な滑り止め織物などであってもよいが、特に限定されていない。
【００１４】
図３Ａと図３Ｂを参照しながら説明する。図３Ａは、本考案の第１の実施例に係る保護シーツ付き保護カバーが立てる態様の模式図を示すものである。図３Ｂは、本考案の第１の実施例に係る保護シール付き保護カバーが立てる態様の側面模式図を示すものである。図３Ｂに示すように、第２の支持部１２は、第１の支持部１１に対して第１の所定角度θ１をなす。第２の支持部１２は、第２の板状体３に対して第２の所定角度θ２をなす。例を挙げて説明すると、第２の支持部１２を曲折することによって第２の支持部１２と第１の支持部１１の間には第１の所定角度θ１をなす。また、第２の板状体３を曲折することによって第２の支持部１２と第２の板状体３の間には第２の所定角度θ２をなす。本実施例において、第１の所定角度θ１は約９０°であり、第２の所定角度θ２は約４５°であるようにしてもよい。言い換えれば、電子機器Ｗと第２の板状体３の間の角度は約４５°であるようにしてもよい。また、本考案において、第１の所定角度θ１と第２の所定角度θ２を調整することによって電子機器Ｗと第２の板状体３の間の角度を調整することができる。これにより、本考案に係る保護シール付き保護カバーは、電子機器Ｗの観察角度を調整できるため、ユーザーに電子機器Ｗの観察角度を自由に調整させることができる。
【００１５】
（第２の実施例）
図４Ａと図４Ｂを参照しながら説明する。図４Ａは、本考案の第２の実施例に係る保護シール付き保護カバーの立体分解図を示すものである。図４Ｂは、本考案の第２の実施例に係る保護シール付き保護カバーの立体構造図を示すものである。図４Ａと図１Ｂの比較から分かるように、第１の実施例との相違点は、第２の実施例において、保護シール付き保護カバーＺは電子機器Ｗを収容するためのケース５を更に含むことにある。第１の支持部１１の第１の粘着層１１ａはケース５に貼付される。ケース５の材料は、例えばポリカーボネート（ｐｏｌｙｃａｒｂｏｎａｔｅ、ＰＣ）などのプラスチック材料であってもよいが、特に限定されていない。第２の実施例によれば、保護シール付き保護カバーＺをケース５に貼付することができるため、電子機器Ｗを保護する効果をより向上できる。
【００１６】
（第３の実施例）
図５は、本考案の第３の実施例に係る保護シール付き保護カバーが立てる態様の側面模式図を示すものである。図５に示すように、保護シール付き保護カバーＺ’は、電子機器Ｗに用いられるものである。粘着板状体４の一方の表面４１は第２の粘着層４１ａを含む。第１の板状体１は、粘着板状体４の他方の表面４２に貼付される第１の支持部１１と、第２の支持部１２と、を含む。第２の支持部１２は、第１の支持部１１に活動可能に連接される。サイド板２は、第１の板状体１に活動可能に連接される。第２の板状体３は、サイド板２に活動可能に連接される。第２の支持部１２は、第１の支持部１１に対して第１の所定角度θ１をなす。第２の支持部１２は、第２の板状体３に対して第２の所定角度θ２をなす。
【００１７】
図５と図３Ｂの比較から分かるように、第１の実施例との相違点は下記の通りである。電子機器Ｗに用いられる保護シール付き保護カバーＺ’は、一方の表面４１に第２の粘着層４１ａを有する粘着板状４を含む。例を挙げて説明すると、粘着板状体４の第２の粘着層４１ａは電子機器Ｗに貼付される。第１の支持部１１は、粘着板状体４の他方の表面４２に貼付される第１の粘着層１１ａを有する。粘着板状体４、第１の板状体１、第２の板状体３及びサイド板２は、一体成形してなる単一の構造又は二つの構造であってもよい。
【００１８】
（第４の実施例）
図６Ａと図６Ｂを参照しながら説明する。図６Ａは、本考案の第４の実施例に係る保護シール付き保護カバーの立体分解図を示すものである。図６Ｂは、本考案の第４の実施例に係る保護シール付き保護カバーの立体構造図を示すものである。図６Ａと図５の比較から分かるように、第３の実施例との相違点は、第４の実施例において、保護シール付き保護カバーＺ’は、電子機器Ｗを収容するためのケース５を更に含むことにある。例を挙げて説明すると、粘着板状体４の第２の粘着層４１ａはケース５に貼付される。ケース５の材料は、例えばポリカーボネート（ｐｏｌｙｃａｒｂｏｎａｔｅ、ＰＣ）などのプラスチック材料であってもよいが、特に限定されていない。第４の実施例によれば、保護シール付き保護カバーＺ’をケース５に貼付することができるため、電子機器Ｗを保護する効果をより向上できる。
【００１９】
（実施例の効果）
上述したように、本考案に係る保護シール付き保護カバーは、“第２の支持部は第１の支持部に対して第１の所定角度をなす”との設計及び“第２の支持部は第２の板状体に対して第２の所定角度をなす”との設計により、電子機器の観察角度を調整できるため、ユーザーに電子機器の観察角度を自由に調整させることができる。
【００２０】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２１】
１  第１の板状体
１１  第１の支持部
１１ａ  第１の粘着層
１２  第２の支持部
２  サイド板
３  第２の板状体
４  粘着板状体
４１、４２  表面
４１ａ  第２の粘着層
５  ケース
Ｚ、Ｚ’  保護シール付き保護カバー
Ｗ  電子機器
θ１  第１の所定角度
θ２  第２の所定角度
【図１Ａ】
0003178753.tif 000003
【図１Ｂ】
0003178753.tif 000004
【図１Ｃ】
0003178753.tif 000005
【図２】
0003178753.tif 000006
【図３Ａ】
0003178753.tif 000007
【図３Ｂ】
0003178753.tif 000008
【図４Ａ】
0003178753.tif 000009
【図４Ｂ】
0003178753.tif 000010
【図５】
0003178753.tif 000011
【図６Ａ】
0003178753.tif 000012
【図６Ｂ】
0003178753.tif 000013